(57)【特許請求の範囲】
【請求項１】
縦長の繊維供試品（１）の欠陥除去限界を電子測定ヘッド（３４）に設定する方法であって、供試品（１）の少なくとも２つのパラメータ（４，５）に関係する第１の欠陥除去限界が、許される（１５ａ）欠陥個所（２）と許されない（１５ｂ）欠陥個所（２）との間に規定され、線図に第１の欠陥除去曲線（１４）として示され、かつ測定ヘッド（３４）へ伝送されるものにおいて、供試品（１）の少なくとも２つのパラメータ（４，５）に関係しかつ第１の欠陥除去限界とは異なる、供試品（１）にある許される撚り継ぎ部（３）と許されない撚り継ぎ部（３）との間の第２の欠陥除去限界が、第１の欠陥除去限界から自動的に計算され、線図に第２の欠陥除去曲線（１６）として示されて、測定ヘッド（３４）へ伝送されることを特徴とする、方法。
【請求項２】
第２の欠陥除去限界が、少なくとも２つのパラメータ（４，５）により張られる座標系の座標変換により、なるべく移動、回転、寸法変化及び／又は剪断により、第１の欠陥除去限界から生じる、請求項１に記載の方法。
【請求項３】
第２の欠陥除去限界が操作者の入力により後で変化される、先行する請求項の１つに記載の方法。
【請求項４】
第１の欠陥除去曲線（１４）及び第２の欠陥除去曲線（１６）が同じ線図に示される、先行する請求項の１つに記載の方法。
【請求項５】
線図の少なくとも１つが二次元直角座標系（６，７）で示される、先行する請求項の１つに記載の方法。
【請求項６】
少なくとも２つのパラメータ（４，５）のうち１つのパラメータ（４）が、欠陥個所（２）又は撚り継ぎ部（３）の長さの尺度であり、少なくとも２つのパラメータ（４，５）のうち他のパラメータ（５）が、供試品（１）の単位長さ当たりの質量又は断面寸法の尺度である、先行する請求項の１つに記載の方法。
【請求項７】
第１の欠陥除去曲線（１４）及び第２の欠陥除去曲線（１６）が、少なくとの１つの図式特徴例えば線形状及び／又は色によって互いに区別される、先行する請求項の１つに記載の方法。
【請求項８】
電子測定ヘッド（３４）を通って長手方向（２５）に動かされる縦長の繊維供試品（１）の品質を監視する方法であって、第１の欠陥除去限界及び第２の欠陥除去限界が、先行する請求項の１つに従って設定され、供試品（１）の欠陥個所（２）及び撚り継ぎ部（３）のための供試品（１）の少なくともそれぞれ２つのパラメータ（４，５）が測定され、第１の欠陥除去限界又は第２の欠陥除去限界と比較される、方法。
【請求項９】
第２の欠陥除去限界を超過すると、例えば対応する撚り継ぎ部（３）の除去及び新しい撚り継ぎ部の形成を含む動作が開始される、請求項８に記載の方法。
【請求項１０】
供試品（１）において測定されるパラメータ（４，５）が、欠陥個所（２）又は撚り継ぎ部（３）に相当する点（１５ａ，１５ｂ；１７ａ，１７ｂ）の点群（１３）の形で、少なくとも１つの線図に示される、請求項８又は９に記載の方法。
【請求項１１】
欠陥個所（２）に相当する点（１５ａ，１５ｂ）と、撚り継ぎ部（３）に相当する点（１７ａ，１７ｂ）が、少なくとも１つの図式特徴例えば形状及び／又は色により互いに区別される、請求項１０に記載の方法。
【請求項１２】
許される欠陥個所（２）又は撚り継ぎ部（３）に相当する点（１５ａ，１７ａ）と、許されない欠陥個所（２）又は撚り継ぎ部（３）に相当する点（１５ｂ，１７ｂ）が、図式特徴例えば形状及び／又は色により互いに区別される、請求項１０又は１１に記載の方法。
【請求項１３】
第２の欠陥除去限界が、測定される少なくとも２つのパラメータ（４，５）に関係して時間的に変化される、請求項８〜１２の１つに記載の方法。
【請求項１４】
縦長の繊維供試品（１）の品質を監視する装置であって、
供試品（１）の欠陥個所（２）及び撚り継ぎ部に対して少なくともそれぞれ２つのパラメータ（４，５）を測定するため、供試品（１）がその長手方向（２５）に通ることができる電子測定ヘッド（３４）、
少なくとも２つのパラメータ（４，５）に関係しかつ供試品（１）の許容される（１５ａ）欠陥個所（２）と許容されない（１５ｂ）欠陥個所（２）との間にある第１の欠陥除去限界を記憶し、かつ第１の欠陥除去限界を測定ヘッド（３４）へ伝送するために設けられている制御装置（３５）、及び
第１の欠陥除去限界を第１の欠陥除去曲線（１４）として線図に示すために設けられている表示装置（３８）
を有するものにおいて、
少なくとも２つのパラメータ（４，５）に関係しかつ第１の欠陥除去限界とは異なり供試品（１）の許される（１７ａ）撚り継ぎ部（３）と許されない（１７ｂ）撚り継ぎ部（３）との間の第２の欠陥除去限界を、第１の欠陥除去限界から自動的に計算するために、制御装置（３５）が設けられ、
第２の欠陥除去限界を第１の欠陥除去曲線（１６）として線図に示すために、表示装置（３８）が設けられている、装置。
【請求項１５】
装置が、許されない撚り継ぎ部を供試品（１）から除去するため、評価装置（３０）に接続される切断装置（２７）を含んでいる、請求項１４に記載の装置。
【請求項１６】
電子測定ヘッド（３４）を通って長手方向に動かされる縦長の繊維供試品（１）の品質を監視するための特に請求項８〜１３の１つに記載の方法であって、
供試品（１）の少なくとも２つのパラメータ（４，５）に関係する第１の欠陥除去限界が、供試品（１）の許される（１５ａ）欠陥個所（２）と許されない（１５ｂ）欠陥個所（２）との間に規定され、線図に第１の欠陥除去曲線（１４）として示され、かつ測定ヘッド（３４）へ伝送され、
供試品（１）の欠陥個所（２）に対する供試品（１）の少なくとも２つのパラメータ（４，５）が、欠陥個所（２）に対応する点（１５ａ，１５ｂ）の第１の点群（１３）の形で線図に示され、かつ第１の欠陥除去限界と比較されるものにおいて、
供試品（１）の許される（１７ａ）撚り継ぎ部（３）と許されない（１７ｂ）撚り継ぎ部（３）との間の、供試品（１）の少なくとも２つのパラメータ（４，５）に関係する第２の欠陥除去限界が規定され、線図に第２の欠陥除去曲線（１６）として示され、かつ測定ヘッド（３４）へ伝送され、供試品（１）にある撚り継ぎ部（３）に対して供試品（１）の少なくとも２つのパラメータ（４，５）が測定されて、撚り継ぎ部（３）に相当する点（１７ａ，１７ｂ）の点群（１３）の形で線図に示され、かつ第２の欠陥除去限界と比較されることを特徴とする方法。
【請求項１７】
欠陥個所（２）に相当する第１の点群の点（１５ａ，１５ｂ）と、撚り継ぎ部（３）に相当する第２の点群の点（１７ａ，１７ｂ）が、少なくとも１つの図式特徴例えば形及び／又は色により互いに区別される、請求項１６に記載の方法。
【請求項１８】
許される欠陥個所（２）又は撚り継ぎ部（３）に相当する点（１５ａ，１７ａ）と、許されない欠陥個所（２）又は撚り継ぎ部（３）に相当する点（１５ｂ，１７ｂ）が、少なくとも１つの図式  特徴例えば形及び／又は色により互いに区別される、請求項１６又は１７に記載の方法。
【請求項１９】
第２の欠陥除去限界を超過すると、例えば対応する撚り継ぎ部（３）の除去及び新しい撚り継ぎ部（３）の形成を含む動作が開始される、請求項１６〜１８の１つに記載の方法。
【請求項２０】
縦長の繊維供試品（１）の品質を監視するための特に請求項１４又は１５に記載の装置であって、
供試品（１）の欠陥個所（２）及び撚り継ぎ部（３）に対して供試品（１）の少なくともそれぞれ２つのパラメータ（４，５）を測定するため、供試品（１）が長手方向（２５）に通ることができる電子測定ヘッド（３４）、
少なくとも２つのパラメータ（４，５）に関係する、供試品（１）の許される（１５ａ）欠陥個所（２）と許されない（１５ｂ）欠陥個所（２）との間の第１の欠陥除去限界を記憶しかつ第１の欠陥除去限界を測定ヘッド（３４）へ伝送するために設けられている制御装置（３５）、及び
第１の欠陥除去限界を第１の欠陥除去曲線（１４）として線図に示すために設けられて制御装置（３５）に接続される表示装置（３８）を有するものにおいて、
少なくとも２つのパラメータ（４，５）に関係しかつ第１の欠陥除去限界とは異なる、供試品（１）の許される（１７ａ）撚り継ぎ部（３）と許されない（１７ｂ）撚り継ぎ部（３）との間の第２の欠陥除去限界を、第１の欠陥除去限界から自動的に計算し、記憶し、かつ測定ヘッド（３４）へ伝送するために、制御装置（３５）が設けられ、
第２の欠陥除去限界を第１の欠陥除去曲線（１６）として線図に示すために、表示装置（３８）が設けられている
ことを特徴とする装置。
【請求項２１】
電子測定ヘッド（３４）を通って長手方向に動かされる縦長の繊維供試品（１）の品質を監視する特に請求項８〜１３又は１６〜１９の１つに記載の方法であって、供試品（１）の少なくとも１つのパラメータ（４，５）が測定され、撚り継ぎ部（３）が、測定される少なくとも１つのパラメータ（４，５）に基いて、許される（１７ａ）撚り継ぎ部（３）又は許されない（１７ｂ）撚り継ぎ部（３）に区分されるものにおいて、
３つの量のうち少なくとも２つが、許されない撚り継ぎ部（１７ｂ）の数（Ｊｕ）、許される撚り継ぎ部（１７ａ）の数（Ｊｚ）及び全部合わせて検出される撚り継ぎ部の数（Ｊｔｏｔ）から成る集合から、撚り継ぎ部の品質を特徴づけるただ１つの撚り継ぎ部品質量（Ｑ）となるように互いに組合わされる
ことを特徴とする、方法。
【請求項２２】
組合わせが、比特に許されない撚り継ぎ部（１７ｂ）の数（Ｊｕ）又は許される撚り継ぎ部（１７ａ）の数（Ｊｚ）と検出される撚り継ぎ部の総数（Ｊｔｏｔ）との比（Ｑ）の形成を含む、請求項２１に記載の方法。
【請求項２３】
撚り継ぎ部品質量（Ｑ）が所定の閾値（Ｑｇ）を上回るか又は下回ると、動作が開始され、例えば警告信号が出力される、請求項２１又は２２に記載の方法。
【請求項２４】
縦長の繊維供試品（１）の撚り継ぎ部（３）を監視するための特に請求項１４又は１５又は２０に記載の装置であって、供試品（１）の少なくとも１つのパラメータ（４，５）を測定するため、供試品（１）が長手方向に通る電子測定ヘッド（３４）、及び測定される少なくとも１つのパラメータ（４，５）に基いて撚り継ぎ部（３）を許される（１７ａ）撚り継ぎ部（３）又は許されない撚り継ぎ部（３）に区分する制御装置（３５）を有するものにおいて、許されない撚り継ぎ部（１７ｂ）の数（Ｊｕ）、許される撚り継ぎ部（１７ａ）の数（Ｊｚ）及び全部合わせて検出される撚り継ぎ部の数（Ｊｔｏｔ）から成る集合から、撚り継ぎ部の品質を特徴づけるただ１つの撚り継ぎ部品質量（Ｑ）となるように、３つの量のうち少なくとも２つを組合わせるため、制御装置（３５）が設けられていることを特徴とする、装置。
【請求項２５】
組合わせとして、比特に許されない撚り継ぎ部（１７ｂ）の数（Ｊｕ）又は許される撚り継ぎ部（１７ａ）の数（Ｊｚ）と検出される撚り継ぎ部の総数（Ｊｔｏｔ）との比（Ｑ）を形成するため、制御装置（３５）が設けられている、請求項２４に記載の装置。
【発明の詳細な説明】
【技術分野】
【０００１】  本発明は、繊維材料の品質検査の分野にある。本発明は、独立請求項の上位概念に記載の、電子測定ヘッドにおいて縦長の繊維供試品特に糸の欠陥除去限界を設定する方法、及び電子測定ヘッドを通って長手方向に動かされる縦長の繊維供試品特に糸の品質を監視する方法及び装置に関する。本発明は、紡糸機又は巻取り機のヤーンクリヤラにおいて使用するのに特によく適している。
【背景技術】
【０００２】  糸の撚り継ぎ部の監視装置及び方法は、ドイツ連邦共和国特許出願公開第４０２８４６５号明細書から公知である。その際糸及びその糸結合素子（撚り継ぎ機）において形成すべき結合個所（撚り継ぎ部）の太さ及び／又は質量を測定する装置が設けられている。測定装置は糸切断装置に連動している。糸切断装置は測定装置により制御される。この装置は、結合個所が公差外にある時に、動作せしめられる。【０００３】  ドイツ連邦共和国特許出願公開第３９３７８２４号明細書は、自動巻取り機の巻取り個所を開示している。巻取り個所の糸通路に電子ヤーンクリヤラが組込まれて、太い個所、細い個所及び２本糸を検出する。ヤーンクリヤラは、新たに形成される撚り継ぎ部が公差範囲にあるか否かについても検査する。この公差範囲をどのように規定するかは示されていない。【０００４】  ドイツ連邦共和国特許出願公開第１９６４９３２９号明細書は、オープンエンド紡糸機における紡糸の際走行する糸の糸輪郭を検査する方法を記載している。紡糸の長さにわたる糸断面の表示が一般にＭ字状曲線を生じることが確認される。この確認から始まって、糸継ぎ器が３つの範囲に区分される。糸継ぎ器の縁にある両方の範囲で測定される糸断面が所定の限界値を上回ると、欠陥のある糸継ぎ器が存在する。【０００５】  欧州特許出願公開第１１０１８４６号明細書は、自動糸継ぎ過程のパラメータの検出に関する。この明細書はオープンエンド紡糸機の紡糸個所を示し、その糸通路においてセンサ装置が糸輪郭を検査する。糸輪郭の検査は加速される糸において行われる。センサ装置の測定頻度は、糸引出しローラの回転速度に合わせることによって、加速される糸の変化する速度に合わされる。紡糸個所は、糸継ぎ輪郭を見えるようにする装置を備えている。【０００６】  欧州特許出願公開第１０７７１９４号明細書から、撚り継ぎ装置を持つ紡糸個所が公知であり、液体が撚り継ぎ装置へ入れられて、撚り継ぎ結合部の強度を改善する。容量センサにおいて撚り継ぎ結合部が検出されて、撚り継ぎ部における水量を求め、場合によっては撚り継ぎ結合部の所望の強度を保証するために最適化する。【０００７】  電子ヤーンクリヤラにおける欠陥除去限界を設定する方法は、欧州特許出願公開第１２９５８３５号明細書から公知である。そこでは起こり得る糸欠陥が欠陥値及び欠陥長に従って分類されて、分類図に配置される。１群の可能な欠陥除去曲線が編集のため記憶装置に準備される。この群から１つの欠陥除去曲線が選出され、ちょうど１つの設定点の移動により分類図に規定される。【０００８】  米国特許第６３７４１５２号明細書から、糸の欠陥の欠陥除去限界の推移を求める方法が公知である。そこでは欠陥のパラメータが線図に記入され、それから例えば線図の１つの範囲における欠陥の集中の際適当な高さで表れる欠陥密度が求められる。糸の欠陥に対する欠陥除去限界は、それが高い欠陥濃度を回避するように設定されるので、頻繁な欠陥は除去されない。【０００９】  欧州特許出願公開第１２４９４２２号明細書は、繊維機械の紡糸個所にある糸欠陥除去装置を開示している。糸欠陥除去装置は糸の断面寸法を連続的に監視する。更に糸の断面寸法が糸の移動方向に前後し��設けられる２つの測定点で測定され、測定値が走行時間相関器により評価される。【００１０】  更に国際公開第２００７／０５６８８３号から、飾り糸を特徴づける方法が公知であり、例えば飾り長及び質量増大のようなパラメータにより、飾りを線図に示すことができる。【００１１】  これら公知の方法の欠点は、撚り継ぎ部を除去するための洗練された判定基準を示さないことである。撚り継ぎ部の判断は、その直径又はその質量に関してのみ、又は水分についてその強度に関してのみ行われる。
【発明の概要】
【発明が解決しようとする課題】
【００１２】  従って本発明の課題は、上記の欠点を回避する、電子測定ヘッドにおいて縦長の繊維供試品の欠陥除去限界を設定する方法を提示することである。本発明の別の課題は、上記の欠点を回避する、電子測定ヘッドを通って長手方向に動かされる縦長の繊維供試品の品質を監視する装置及び方法を提示することである。特に撚り継ぎ部の欠陥除去限界の設定が、従来技術に比べて容易にされるようにする。特に外観に関する撚り継ぎ部の品質従って関係する糸の品質も、改善されるようにする。よく機能しない撚り継ぎ装置が確認され、それにより新たに設定、修理又は交換できるようにする。更に方法が簡単に実施可能であり、装置が簡単に操作可能であるようにする。
【課題を解決するための手段】
【００１３】  これらの課題は、独立請求項に記載されているような発明によって解決される。有利な実施形態は従属請求項に示されている。【００１４】  本発明は、供試品の少なくとも２つのパラメータに関係する、供試品の許される撚り継ぎ部と許されない撚り継ぎ部との間の欠陥除去限界を求める、という基本思想に基いている。撚り継ぎ部のこの欠陥除去限界は、供試品の許される欠陥個所と許されない欠陥個所との間の公知の欠陥除去限界とは相違している。この欠陥除去限界は、撚り継ぎ部の分離のため洗練された判定基準を規定する。この欠陥除去限界は、なるべく第１の欠陥除去限界より下にあり、それにより撚り継ぎ部は、それに代わる欠陥個所より有害ではない。【００１５】  本発明により縦長の繊維供試品の欠陥除去限界を電子測定ヘッドに設定する方法において、供試品の少なくとも２つのパラメータに関係する第１の欠陥除去限界が、許される欠陥個所と許されない欠陥個所との間に規定され、線図に第１の欠陥除去曲線として示され、かつ測定ヘッドへ伝送される。更に供試品の少なくとも２つのパラメータに関係しかつ第１の欠陥除去限界とは異なる、供試品にある許される撚り継ぎ部と許されない撚り継ぎ部との間の第２の欠陥除去限界が、第１の欠陥除去限界から自動的に計算され、線図に第２の欠陥除去曲線として示されて、測定ヘッドへ伝送される。【００１６】  第２の欠陥除去限界が、少なくとも２つのパラメータにより張られる座標系の座標変換により、なるべく移動、回転、寸法変化及び／又は剪断により、第１の欠陥除去限界から生じるようにすることができる。第２の欠陥除去限界が操作者の入力により後で変化されるようにすることができる。第１の欠陥除去曲線及び第２の欠陥除去曲線が同じ線図に示されるのがよい。好ましい実施形態では、線図の少なくとも１つが二次元直角座標系で示される。少なくとも２つのパラメータのうち１つのパラメータが、例えば欠陥個所又は撚り継ぎ部の長さの尺度であり、少なくとも２つのパラメータのうち他のパラメータが、例えば供試品の単位長さ当たりの質量又は断面寸法の尺度である。第１の欠陥除去曲線及び第２の欠陥除去曲線が、少なくとの１つの図式特徴例えば線形状及び／又は色によって互いに区別されると有利である。【００１７】  電子測定ヘッドを通って長手方向に動かされる縦長の繊維供試品の品質を監視する方法において、本発明の第１の局面によれば、第１の欠陥除去限界及び第２の欠陥除去限界が、測定ヘッドにおいて上述したように設定さる。供試品の欠陥個所及び撚り継ぎ部のための供試品の少なくともそれぞれ２つのパラメータが測定され、第１の欠陥除去限界又は第２の欠陥除去限界と比較される。【００１８】  第２の欠陥除去限界を超過すると、例えば対応する撚り継ぎ部の除去及び新しい撚り継ぎ部の形成を含む動作が開始されると、有利である。新しい撚り継ぎ部は、再び上述したように検査することができる。供試品において測定されるパラメータが、欠陥個所又は撚り継ぎ部に相当する点の点群の形で、少なくとも１つの線図に示されるのがよい。その際欠陥個所に相当する点と、撚り継ぎ部に相当する点が、少なくとも１つの図式特徴例えば形状及び／又は色により互いに区別されるようにすることができる。同様に許される欠陥個所又は撚り継ぎ部に相当する点と、許されない欠陥個所又は撚り継ぎ部に相当する点が、図式特徴例えば形状及び／又は色により互いに区別されるようにすることができる。第１の欠陥除去曲線及び第２の欠陥除去曲線の、少なくとも１つの図式特徴例えば線形状及び／又は色によって互いに区別することができる。【００１９】  第２の欠陥除去限界が、測定される少なくとも２つのパラメータに関係して時間的に変化されるようにすることができる。その際米国特許第６３７４１５２号明細書と同じように行うことができる。パラメータにより張られる空間の範囲に対して、撚り継ぎ部密度を求めることができる。撚り継ぎ部のための第２の欠陥除去限界は、それが高い撚り継ぎ密度を持つ範囲を回避するので、廃物とみなされる個々の撚り継ぎ部のみは除去されるが、典型的な多くの撚り継ぎ部は縦長の繊維供試品に残る。それにより撚り継ぎ部の頻繁すぎる除去が回避され、装置の経済性が高められる。【００２０】  縦長の繊維供試品の品質を監視する装置は、本発明の第１の局面によれば、供試品の欠陥個所及び撚り継ぎ部に対して少なくともそれぞれ２つのパラメータを測定するため、供試品がその長手方向に通ることができる電子測定ヘッドを含んでいる。更に装置は、少なくとも２つのパラメータに関係しかつ供試品の許容される欠陥個所と許容されない欠陥個所との間にある第１の欠陥除去限界を記憶し、かつ第１の欠陥除去限界を測定ヘッドへ伝送するために設けられている制御装置を含んでいる。更に装置は、第１の欠陥除去限界を第１の欠陥除去曲線として線図に示すために設けられている表示装置を含んでいる。制御装置は、少なくとも２つのパラメータに関係しかつ第１の欠陥除去限界とは異なり供試品の許される撚り継ぎ部と許されない撚り継ぎ部との間の第２の欠陥除去限界を、第１の欠陥除去限界から自動的に計算するために設けられている。表示装置が、第２の欠陥除去限界を第１の欠陥除去曲線として示すために設けられている。【００２１】  好ましい実施形態では、装置が、許されない撚り継ぎ部を供試品から除去するため、評価装置に接続される切断装置を含んでいる。【００２２】  電子測定ヘッドを通って長手方向に動かされる縦長の繊維供試品の品質を監視するため本発明の第２の局面によれば、供試品の少なくとも２つのパラメータに関係する第１の欠陥除去限界が、供試品の許される欠陥個所と許されない欠陥個所との間に規定され、線図に第１の欠陥除去曲線として示され、かつ測定ヘッドへ伝送される。供試品の欠陥個所に対する供試品の少なくとも２つのパラメータが、欠陥個所に対応する点の第１の点群の形で線図に示され、かつ第１の欠陥除去限界と比較される。供試品の許される撚り継ぎ部と許されない撚り継ぎ部との間の、供試品の少なくとも２つのパラメータに関係する第２の欠陥除去限界が規定され、線図に第２の欠陥除去曲線として示され、かつ測定ヘッドへ伝送される。供試品にある撚り継ぎ部に対して供試品の少なくとも２つのパラメータが測定されて、撚り継ぎ部に相当する点の点群の形で線図に示され、かつ第２の欠陥除去限界と比較される。【００２３】  第２の欠陥除去限界は、操作者��より自由に規定することができる。これは、撚り継ぎ事象、第１の欠陥除去曲線及び第２の欠陥除去曲線を同じ線図に示すことによって著しく容易にされるか、又は初めて可能になる撚り継ぎ事象を図示するため、操作者は簡単かつ直観的に第２の欠陥除去限界を規定して、あまり有害でない撚り継ぎ部は糸から不必要に除去されないが、有害な撚り継ぎ部は実際に除去されるようにすることができる。第１の欠陥除去曲線の図示は、操作者が第２の欠陥除去曲線を規定する際第１の欠陥除去曲線に沿って方向づけ、例えばそれから十分大きい間隔を保つのを可能にする。図示が映像面に表示され、第２の欠陥除去限界の規定がコンピュータマウス、キーボード又はセンサ映像（タッチスクリーン）のような公知の入力手段により行われるのがよい。第２の欠陥除去曲線は自由に示すか、又は存在する曲線の組から選ぶことができる。それから所望の推移を持つまで、曲線を移動し、回転し、伸ばし、かつ／又は他のやり方で変換することができる。この処理は、欧州特許出願公開第１２９５８３５号明細書に記載されているものと同じであってもよい。【００２４】  その代りに、第２の欠陥除去限界を自動的に設定するか、又は第２の欠陥除去限界の推移に対する提案を自動的に設定させて、操作者により合わせることができる。撚り継ぎ部に対する第２の欠陥除去限界の自動的な計算は、例えば撚り継ぎ部パラメータの以前の測定及び／又は糸の欠陥個所のための既に存在する第１の欠陥除去限界に基いていてもよい。従ってこの方法は、本発明の第２の局面によれば、本発明の第１の局面による上述した方法及びそのすべての実施形態と有利に組合わせることができる。【００２５】  方法の好ましい実施形態では、欠陥個所に相当する第１の点群の点と、撚り継ぎ部に相当する第２の点群の点が、少なくとも１つの図式特徴例えば形及び／又は色により互いに区別される。同様に許される欠陥個所又は撚り継ぎ部に相当する点と、許されない欠陥個所又は撚り継ぎ部に相当する点が、少なくとも１つの図式特徴例えば形及び／又は色により互いに区別されるようにすることができる。第２の欠陥除去限界を超過すると、例えば対応する撚り継ぎ部の除去及び新しい撚り継ぎ部の形成を含む動作が有利に開始される。【００２６】  縦長の繊維供試品の品質を監視する装置は、本発明の第２の局面によれば、供試品の欠陥個所及び撚り継ぎ部に対して供試品の少なくともそれぞれ２つのパラメータを測定するため、供試品が長手方向に通ることができる電子測定ヘッドを含んでいる。更に装置は、少なくとも２つのパラメータに関係する、供試品の許される欠陥個所と許されない欠陥個所との間の第１の欠陥除去限界を記憶しかつ第１の欠陥除去限界を測定ヘッドへ伝送するために設けられている制御装置を含んでいる。装置は、第１の欠陥除去限界を第１の欠陥除去曲線として線図に示すために設けられて制御装置に接続される表示装置を含んでいる。制御装置は、少なくとも２つのパラメータに関係しかつ第１の欠陥除去限界とは異なる、供試品の許される撚り継ぎ部と許されない撚り継ぎ部との間の第２の欠陥除去限界を、第１の欠陥除去限界から自動的に計算し、記憶し、かつ測定ヘッドへ伝送するために設けられて��る。表示装置は、第２の欠陥除去限界を第１の欠陥除去曲線として線図に示すために設けられている。【００２７】  この装置は、本発明の第２の局面によれば、本発明の第１の局面による上述した装置及びそのすべての実施形態と有利に結合されることができる。【００２８】  電子測定ヘッドを通って長手方向に動かされる縦長の繊維供試品の品質を監視する方法において、本発明の第３の局面によれば、供試品の少なくとも１つのパラメータが測定される。撚り継ぎ部が、測定される少なくとも１つのパラメータに基いて、許される撚り継ぎ部又は許されない撚り継ぎ部に区分される。３つの量のうち少なくとも２つが、許されない撚り継ぎ部の数、許される撚り継ぎ部の数及び全部合わせて検出される撚り継ぎ部の数から成る集合から、撚り継ぎ部の品質を特徴づけるただ１つの撚り継ぎ部品質量となるように互いに組合わされる。前記の数は、必ずしも既知でなくてもよい特定の糸長に関するものである。その代りに、同様に必ずしも既知でなくてもよい特定の期間に関するものでもよい。【００２９】  好ましい実施形態では、組合わせが、比特に許されない撚り継ぎ部の数又は許される撚り継ぎ部の数と検出される撚り継ぎ部の総数との比の形成を含む。Ｊｕで許されない撚り継ぎ部の数、Ｊｚで許される撚り継ぎ部の数、Ｊｔｏｔ＝Ｊｕ＋Ｊｚで検出される撚り継ぎ部の総数を示すと、これら３つの量により、商を形成する次の６つの変形例が生じる。
Ｊｕ／Ｊｚ，Ｊｕ／Ｊｔｏｔ，Ｊｚ／Ｊｔｏｔ，Ｊｚ／Ｊｕ，Ｊｔｏｔ／Ｊｕ，Ｊｔｏｔ／Ｊｚ
これらの商の各々は、それぞれ異なる商により表わすことができる。従ってこれらの商のどれか１つは、撚り継ぎ部の品質を特徴づける撚り継ぎ部品質量を表示するのに十分である。他の商は付加的な情報を含んでいない。特にはっきりした商は、検出される全撚り継ぎ部のどんな端数が許容されないを示す“撚り継ぎ比”
Ｑ＝Ｊｕ／Ｊｔｏｔ
である。この撚り継ぎ比Ｑは、各撚り継ぎ装置に対して形成される。撚り継ぎ比から、特定の撚り継ぎ装置がよく動作するかしないかを推論することができる。そのため例えば撚り継ぎ比が下回ることのある閾値又は限界値を規定することができ、それにより撚り継ぎ装置が充分であると判断される。限界値を下回ると、それから警告信号が出されて、検査のため特定の巻取り個所又は撚り継ぎ装置が停止されるようにする。撚り継ぎ比は連続的に計算され、その推移が限界値と連続的に比較される。【００３０】  本発明の第３の局面によるこの方法は、本発明の上述した第１の局面又は第２の局面及びその実施形態による方法と有利に組合わせることができる。【００３１】  好ましい実施形態では、組合わせが、比特に許されない撚り継ぎ部の数又は許される撚り継ぎ部の数と検出される撚り継ぎ部の総数との比の形成を含む。撚り継ぎ部品質量が所定の閾値を上回るか又は下回ると、動作が開始され、例えば警告信号が出力される。【００３２】  縦長の繊維供試品の撚り継ぎ部を監視するための本発明による装置は、本発明の第３の局面によれば、供試品の少なくとも１つのパラメータを測定するため、供試品が長手方向に通る電子測定ヘッドを含んでいる。装置は、測定される少なくとも１つのパラメータに基いて撚り継ぎ部を許される撚り継ぎ部又は許されない撚り継ぎ部に区分する制御装置を含んでいる。制御装置が、許されない撚り継ぎ部の数、許される撚り継ぎ部の数及び全部合わせて検出される撚り継ぎ部の数から成る集合から、撚り継ぎ部の品質を特徴づけるただ１つの撚り継ぎ部品質量となるように、３つの量のうち少なくとも２つを組合わせるために設けられている。【００３３】  本発明の第３の局面によるこの装置は、本発明の第１又は第２の局面及びそのすべての実施形態による上述した装置と有利に組合わせることができる。【００３４】  本発明による装置の好ましい実施形態では、組合わせとして、比特に許されない撚り継ぎ部の数又は許される撚り継ぎ部の数と検出される撚り継ぎ部の総数との比を形成するために設けられている。【００３５】  本発明により、撚り継ぎ部の品質を改善して、後で織物又は編物に加工される縦長の繊維供試品にある撚り継ぎ部が欠陥としてあまり現れないようにすることができる。従って縦長の繊維供試品の品質も更に改善される。本発明による方法は、よく機能しない撚り継ぎ装置を検出して修理できることによって、繊維機械を効率的に動作させることも可能にする。【００３６】  本発明が図面により以下に詳細に説明される。
【図面の簡単な説明】
【００３７】
【図１】  糸にある撚り継ぎ結合部を概略的に示す。
【図２】  点群にあるパラメータにより撚り継ぎ結合部を表す線図を示す。
【図３】  欠陥個所に対する欠陥除去限界から撚り継ぎ部のための欠陥除去限界を計算するための３つの方法を概略的に示す。
【図４】  パラメータにより欠陥個所及び撚り継ぎ結合部を表す線図を示す。
【図５】  パラメータにより欠陥個所及び撚り継ぎ結合部を表す線図を示す。
【図６】  パラメータにより欠陥個所及び撚り継ぎ結合部を表す線図を示す。
【図７】  本発明による方法を実施するための装置を示す。
【図８】  撚り継ぎの際における糸の速度推移を示す。
【図９】  本発明による装置の状態線図を示す。
【図１０】  １つの撚り継ぎ装置に対して時間に関係する撚り継ぎ比の図を示す。
【図１１】  複数の撚り継ぎ装置に対して撚り継ぎ比の図を示す。
【発明を実施するための形態】
【００３８】  図１（ａ）は縦長の供試品１例えば糸の欠陥個所２を示す。このような欠陥個所２は、例えば（この例におけるような）太い個所、細い個所又は異物である。その発生、監視、分類、判断及び除去は、従来技術においてしばしば記載されており、ここではそれ以上論じる必要がない。図１（ｂ）は同様に縦長の供試品１例えば糸にある撚り継ぎ部３を示す。
【００３９】  欠陥個所２又は撚り継ぎ部３に対して、欠陥個所２又は撚り継ぎ部３の直径に相当するか、又は欠陥個所２又は撚り継ぎ部３の単位長さ当たりの質量に相当するパラメータ５が示されている。欠陥個所２又は撚り継ぎ部３に対して、その長さ４のような別のパラメータも規定される。欠陥個所又は撚り継ぎ部の長さ４は、糸１と欠陥個所２又は撚り継ぎ部３との間の移行範囲における選択可能な特定の限界直径の間の長さとして測定することができる。欠陥個所２又は撚り継ぎ部３の始めにおいて糸１に沿って限界直径を上回り、欠陥個所２又は撚り継ぎ部３の終わりにおいて糸１に沿って限界直径を上回る。糸１の一部の長さ４を規定するこのような慣習は、糸１の欠陥個所又は飾り糸の飾りに対して既に知られており（国際公開第２００７／０５６８８３号）、撚り継ぎ部３に対しても適用可能である。欠陥個所又の長さを測定するために、公知の方法例えば糸１の瞬間速度の測定及び特定の期間にわたる瞬間速度の積分による糸部分の長さ４の算定を使用することができる。瞬間速度は、欧州特許出願公開第１２４９４２２号明細書に開示されているように、溝付き円筒信号又は走行時間相関法から求めることができる。
【００４０】  図２は、糸１の欠陥個所２を示すために既に知られているような線図を示す。横軸６に沿って、長さ４（図１参照）がパラメータとして、また縦軸７に沿って、単位長さ当たりの直径５（図１参照）又は質量又は直径５又は質量の変化が記入されている。ここでパラメータ軸７における値０は、目標値例えば糸１の目標直径に相当する。その代りに１００％を持つ目標値を示すこともできる。点８ａ，８ｂ，８ｃ，８ｄ等は、対応するパラメータ値４，５により横軸６又は縦軸７に示されている撚り継ぎ部３（図１参照）又は撚り継ぎ事象を表す。従って撚り継ぎ事象は、図２の線図に点群１３として示されている。直線９及び１０又はそれと横軸６及び縦軸７との交点は、ここでは点８ｄに対してのみ、座標６，７が撚り継ぎ部３に対応する点８ｄをどのように規定しているかを明らかにする。それ以外の水平な直線１１ａ〜１１ｄ及び垂直な直線１２ａ〜１２ｄは、糸１の欠陥個所２の分類のために既に導入されているクラスとして知られている長方形を形成している。直線１１及び１２は従って撚り継ぎ事象８ａ〜８ｄの分類限界を形成している。従ってこのような線図は、撚り継ぎ事象８ａ〜８ｄのための分類領域を示す。点８ａ〜８ｄ及びここに記入されている別の点は、分類領域にある点群１３を形成している。撚り継ぎ部３に対して約２〜１０ｃｍの典型的な長さ４、糸１の目標直径又は目標質量の約１５０〜２００％の単位長さ当たりの典型的な直径５又は質量が存在する。
【００４１】  図３は、図２に対して既に説明したような軸６，７を持つ線図を示す。ここで特に糸１の欠陥個所２（図１１（ａ）参照）に対する第１のいわゆる欠陥除去曲線１４、及び撚り継ぎ部３（図１（ｂ）参照）に対する第２の欠陥除去曲線１６が認められる。欠陥除去曲線１４，１６は、欠陥個所２又は撚り継ぎ部３の欠陥除去限界の図式表示である。欠陥除去限界は欠陥個所２又は撚り継ぎ部３の品質のための判断基準である。欠陥個所２の事象８（図２参照）が第１の欠陥除去限界１４より下にある場合、欠陥個所２は許され、そうでない場合は許されない。同じことが撚り継ぎ部３に対して当てはまる。図３の３つの線図には、第１の所定の欠陥除去限界から第１の欠陥除去限界を自動的に計算するため、３つの異なる方法が示されている。３つの実施形態すべてはアフィン座標変換である。線図において矢印はたまたま選ばれた第１の欠陥除去曲線１４上の３つの点がそれに対応する第２の欠陥除去曲線１６上の３つの点へどのように移行するかを示している。
【００４２】  図３（ａ）の実施形態によれば、縦軸７に対して平行な第１の欠陥除去曲線１４の移動（並進移動）により、第２の欠陥除去曲線１６が生じる。従って第１の欠陥除去曲線１４上の点（Ｌ，Ｄ）は、第２の欠陥除去曲線１６上の点（Ｌ′，Ｄ′）へ移行する。即ちＬ′＝Ｌ，Ｄ′，Ｄ′＝Ｄ−ｂが成立し、ここで（０，ｂ）は移動ベクトルである。
【００４３】  図３（ｂ）の実施形態では、縦軸７の方向へ第１の欠陥除去曲線１４の圧縮により、第２の欠陥除去曲線１６が生じ、これは尺度変化（目盛修正）の特殊ケースである。第１の欠陥除去曲線１４上の各点の縦座標値は、目盛修正係数例えば０．８を乗算されて、第２の欠陥除去曲線１６上の対応する点の縦座標値をとる。Ｌ′＝Ｌ，Ｄ′−０．６・Ｄが成立する。これは縦軸７の方向における４０％の圧縮を生じる。
【００４４】  図３（ｃ）は目盛修正の一般的な場合を示し、縦軸７の方向及び横軸６の方向へ例えばそれぞれ目盛修正係数０．８で圧縮される。Ｌ′＝０．８Ｌ，Ｄ′＝０．８Ｄが成立する。両方向における目盛修正係数はもちろん同じでなくてもよい。非常に長い撚り継ぎ部３に対する第２の欠陥除去曲線１６の欠陥は、実際には問題を生じない。なぜならば、このように長い撚り継ぎ部はいずれにせよまれにしか生じないからである。しかし必要な場合、横軸６上の大きい値に対して第２の欠陥除去曲線１６を適当に長くすることができる。
【００４５】  本発明を知れば、当業者は、第１の欠陥除去曲線から第２の欠陥除去限界を計算する別の実施例を提示することができる。移動（並進）、回転、尺度変化（目盛修正）、圧縮又はその組合わせのようなアフィン座標変換を行うことができる。更に第１の欠陥除去曲線１４上の各点に第２の欠陥除去曲線１６上の点を対応させる他の多くの関数も考えられる。
【００４６】  図４にも軸６，７を持つ公知の線図が示されている。図４（ａ）の線図には、糸１の欠陥点又は欠陥事象１５ａ，１５ｂを示す点１５ａ，１５ｂが記入されている。更に第１の欠陥除去曲線１４が記入され、ここでは水平な部分と垂直な部分から階段状に構成されている。第１の欠陥除去曲線１４より下にある欠陥１５ａは許される欠陥として、糸１に残される。これに反し第１の欠陥除去曲線１４より上にある欠陥１５ｂは、許されない欠陥とみなされる。その発生は動作を開始し、通常のように欠陥のある糸部分の切取りにより糸１から欠陥１５ｂを除去する。
【００４７】  図４（ｂ）には撚り継ぎ部３のための第２の欠陥除去曲線１６が記入され、ここでは撚り継ぎ部３がその座標により規定される点１７ａ，１７ｂとして表れる。第２の欠陥除去曲線１６は撚り継ぎ点又は撚り継ぎ事象１７ａ，１７ｂに対する欠陥除去限界を示す。撚り継ぎ点１７ａ，１７ｂに対して第２の欠陥除去曲線１６が、欠陥除去曲線１４と同様に許容基準を規定する。第２の欠陥除去曲線１６より下にある撚り継ぎ点１７ａは、許される撚り継ぎ点として糸１に残される。これに反し、第２の欠陥除去曲線１６より上にある撚り継ぎ点１７ｂは、許されない撚り継ぎ点とみなされる。その発生は動作を開始し、通常のように撚り継ぎ点１７ｂに相当する撚り継ぎ部３を糸１から除去する。第２の欠陥除去曲線１６は、例えば縦軸７の方向に第２の欠陥除去曲線１４を目盛修正係数０．７５で圧縮することにより得ることができる。
【００４８】  図４では、欠陥個所事象１５ａ，１５ｂと撚り継ぎ部事象１７ａ，１７ｂが互いに別の２つの線図に示されているが、図５は両方の線図をただ１つの線図にまとめている。第１及び第２の欠陥除去曲線１４，１６もただ１つの線図に記入されている。欠陥個所２に対する事象点１５ａ，１５ｂが撚り継ぎ部３に対する事象点１６ａ，１６ｂから図式的に区別されると、操作者は、線図の解釈を一層容易に行うことができる。このような区別は、図５の例において、欠陥個所２のための事象点１５ａ，１５ｂを白い円により示し、撚り継ぎ部３のための事象点１７ａ，１７ｂを黒い正方形で示すことによって行われた。もちろん別の形状、色及び／又は陰影を使用することができる。
【００４９】  第１の欠陥除去曲線１４及び第２の欠陥除去曲線１６の表示における図式区別は、見易さを促進する。図５の例において、第１の欠陥除去曲線１４が破線で記入され、第２の欠陥除去曲線１６が実線で記入された。
【００５０】  典型的な撚り継ぎ部長４は約２〜１０ｃｍなので、第２の欠陥除去曲線１６をこの長さ区間においてのみ規定すれば十分であろう。しかし図５の例では、この曲線１６は全長さに対して規定されている。第２の欠陥除去曲線１６はなるべく第１の欠陥除去曲線１４より下にある。それにより許されない太い個所１５ｂが、多分除去される太い個所１５ｂより大きい太さ及び／又は長さを持つ許される撚り継ぎ部により取り代えられないようにすることができる。しかし両方の欠陥除去曲線１４，１６が重なるか、又は第２の欠陥除去曲線１６が第１の欠陥除去曲線１４より上にある使用事例がある。図５の例では、後者の使用事例が縦軸７の近くにある小さい長さに当てはまる。
【００５１】  第２の欠陥除去曲線１６は、操作者により自由に規定し、かつ／又は自動的に計算することができる。手による規定は、なるべく入力装置３７及び出力装置３８（図７参照）により行われる。それによりパーソナルコンピュータで簡単な図面プログラムで可能であるように、第２の欠陥除去曲線２６を示し、かつ／又は後で処理することができる。欠陥個所に対して欧州特許出願第１２９５８３５号明細書に記載されているように、予め規定される１組の曲線推移を利用し、それから所望の位置へもたらされる１つを選び、必要な場合処理することもできる。
【００５２】  図５の実施例では、欠陥除去曲線１４，１６が階段状にかつ図２に記入した分類限界１１ａ〜１１ｄ，１２ａ〜１２ｄに対して平行に延びている。しかしこれは必要でない。連続的な欠陥除去曲線１４，１６又は連続部分及び不連続部分を持つ欠陥除去曲線１４，１６が可能である。図６は、図５に相当するが、ここでは点１５ａ，１５ｂとして現れる欠陥個所２のための第１の欠陥除去曲線１４及びここでは点１７ａ，１７ｂとして現れる撚り継ぎ部３のための第２の欠陥除去曲線１６の任意即ち分類限界に結び付かない推移を持つ線図を示している。許される欠陥個所２のための事象点１５ａは、図６の例では白い円として示され、許されない欠陥個所２のための事象点１５ｂは黒い円として示されている。許される撚り継ぎ部３のための事象点１７ａは、図６の例では白い正方形として示され、許されない撚り継ぎ部３のための事象点１７ｂは黒い正方形として示されている。従ってこの表示は、図式的に欠陥個所２のための事象点１５ａ，１５ｂと撚り継ぎ部３のための事象点１７ａ，１７ｂとを区別するのみならず、許される事象のための事象点１５ａ，１７ａと許されない事象のための事象点１５ｂ，１７ｂとを区別する。これは見通し易さを更に高めることができる。この区別に関しても、当業者は多くの図式特徴及び手段を利用できる。
【００５３】  糸１には、太い個所のほかに細い個所も現れる。これらの細い個所は糸製造過程によっても撚り継ぎ過程によっても生じる可能性がある。図６の線図では、細い個所を示すために、横軸６より下に特有の正方形が設けられ、上述した太い個所は１つの象限において横軸６より上に記入されている。製造に起因する細い個所は円形の点と符号１５ａ′，１５ｂ′により示され、撚り継ぎに起因する細い個所は正方形の点と符号１７ａ′，１７ｂ′により示されている。細い個所に対する欠陥除去曲線１４′，１６′も同様に記入されている。許されるか又は許されない細い個所に関して、太い個所について述べたことが同様に当てはまる。
【００５４】  例えば繊維糸１（図１参照）において撚り継ぎ部３の品質を改善するため、長さ４及び直径５又は単位長さ当たりの質量（又は単位長さ当たりの直径５又は質量の変化）のパラメータが測定され、図２〜６に示すように線図において点群として記入される。こうして糸１にある特定の撚り継ぎ部３が有害になるか否かを知ることができる。許される撚り継ぎ部３と許されない撚り継ぎ部３との区別は、第２の欠陥除去曲線１６，１６′により行われる。
【００５５】  図７は、例えば繊維機械の紡糸個所において使用できるような本発明による方法を実施するための装置を示す。ここに認められる管糸２３から糸１が巻戻されてボビン２４へ巻付けられる。糸１が矢印２５の方向に動くことから出発すると、糸１のパラメータ４，５を測定する公知の第１の測定装置２６、糸１の瞬間速度ｖを測定する第２の測定装置２７、糸１から許されない欠陥個所を除去する切断装置２８、及び２つの糸端部を結合する撚り継ぎ装置２９が見られる。これら４つの装置２６〜２９は公知であり、従ってここではそれ以上説明しない。糸１の速度ｖのための第２の測定装置２７は関係する紡糸機又は巻取り機にも統合可能なので、この場合紡糸機又は巻取り機が速度信号を供給する。評価装置３０が導線３１又は３２を介して両方の測定装置２６及び２７に接続されている。評価装置は、第１の測定装置２６において測定される撚り継ぎ部３の通過時間と、第２の測定装置２７において測定される糸１の速度ｖから、撚り継ぎ部３の長さ５を計算する。評価装置３０は導線３３を介して切断装置２８に接続されて、糸１を切断するための指令を切断装置に与える。第１の測定装置２６、切断装置２８、評価装置３０及び場合によっては第２の測定装置２７も、電子ヤーンクリヤラの電子測定ヘッド３４に統合することができる。
【００５６】  制御装置３５が導線３６を介して評価装置３０に接続されている。制御装置３５は、例えば第１及び第２の欠陥除去限界を評価装置３０へ伝送することによって、評価装置３０を制御しかつこれに通報する。制御装置３５は評価装置３０から種々のデータ及び情報を受けて処理する。必要な場合には撚り継ぎ装置２９を動作させるために必要な情報もそれに含まれる。更に糸品質及び／又は撚り継ぎ部品質に関するデータも含まれる。入力装置３７例えばキーボード、コンピュータマウス等や出力装置３８例えば映像面が、データの入力又は出力のために接続されるか、それに統合されているのがよい。入力装置３７及び出力装置３８は、センサ映像面（タッチスクリーン）にまとめられていてもよい。制御装置３５はなるべく複数の測定ヘッド３４に接続されている。制御装置３５は、導線４０を介して繊維機械の機械制御装置３９とも交信する。機械制御装置３９は、導線４２を介して作業個所計算機又は製造個所計算機４１に接続され、この計算機４１は導線４３及び４４を介して撚り継ぎ装置２９及び評価装置３０に接続されている。
【００５７】  形成される撚り継ぎ部３のパラメータ４，５が著しくばらついているか又は他の原因で受入れられないことが確認されると、これらのパラメータ３，４の表示が、巻取り機又は撚り継ぎ装置２９の設定を変えることを可能にする。このような場合撚り継ぎ装置２９の設定、例えば圧縮空気の供給、糸撚りの解除、両方の糸端部のからみ合わせを変えるか、加熱撚り継ぎの場合熱量の供給を変えるか又は湿式撚り継ぎの場合液体の供給を変えることができる。撚り継ぎ部３に対して、図２に示すように欠陥部類も求めることができる。撚り継ぎ部３がある部類と糸欠陥２がある部類との比較により、検出される撚り継ぎ部３の許容可能性についての根拠のある判断を行うことができる。そのため隣接する部類にある欠陥の数、及び糸１に最も頻繁な欠陥２が存在する部類と撚り継ぎ部３が存在する部類との間隔が判断される。
【００５８】  通常のように撚り継ぎ部３を形成するため、例えば欠陥個所２の切取り後又はボビン交換の際、繊維機械が短時間停止され、それから再び加速されることが考えられる。図８は、繊維機械の始動中に糸１の速度ｖの起こり得る推移６３を概略的に示し、垂直な軸６１に沿う糸速度ｖの値が時間軸６０について記入されている。静止している糸１において、両方の糸端部が撚り継ぎ部３を介して結合される。それから糸速度ｖが零から最終速度６２まで高められる。撚り継ぎパラメータ４，５の測定は、図８に垂直な直線６６及び６７により区画されているような時間部分６５において行われる。この時間部分６５において糸１の速度ｖは一定でなく、時間と共に変化する。糸１の加速中に、撚り継ぎ部３も本発明により監視せねばならない。時間的に変化する速度ｖは、形成される撚り継ぎ部３におけるパラメータ値４，５の測定の際の難点である。この場合例えば撚り継ぎ部３の長さ５の確実な測定を行うために、糸１の瞬間速度ｖを測定値の処理に含ませねばならない。そのため本発明による方法では、第２の測定装置２７（図７参照）からの速度信号が必要であり、この速度信号が、撚り継ぎ部３の始めと終わりとの間で第１の測定装置２６が測定する時間を撚り継ぎ部長さ５に換算するために使用される。
【００５９】  従って本発明による装置は、２つの異なる動作モード、即ち通常の動作過程中に行われる糸１の欠陥２のパラメータ４，５の公知の測定のための第１の動作モート、及び繊維機械の始動中に行われる撚り継ぎ部３のパラメータ４，５の本発明による測定のための第２の動作モードで動作できるようにする。図９は両方の動作モード７１，７２を持つ状態線図を示す。ここでは通常モードと称される第１の動作モード７１は、従来技術から公知の通常事例であり、第１の欠陥除去曲線１４を使用して、糸１が起こり得る欠陥個所２を監視される。ここでは撚り継ぎモードと称される第２の動作モード７２は、第２の欠陥除去曲線１６を使用して、撚り継ぎ部３の本発明による監視のために用いられる。１つの動作モードから他の動作モードへの切換えは、評価装置３０（図７参照）により行うことができる。例えば評価装置３０が、第２の測定装置２７から、糸１が停止しているという情報を受けるか、又は作業個所計算機４１から、撚り継ぎ部３が撚り継ぎ装置２９により形成されたという情報を受けると、評価装置３０が撚り継ぎモード７２へ切換わる。形成される撚り継ぎ部３が許されるものと判定されるか、又は撚り継ぎ部３が許されないものと判定されて切取られると、評価装置３０が通常モード７１へ切換わる。
【００６０】  撚り継ぎ部３の少なくとも１つのパラメータ４，５の値の測定が行われた後、特定の糸長さ又は期間内に確認された撚り継ぎ部３を数えることも望まれる。撚り継ぎ部３が測定された値に応じて２つの群に割り当てられ、各群において事象（撚り継ぎ部３）が数えられる。その際許されない撚り継ぎ部１７ｂの数Ｊｕが第１の群において数えられ、撚り継ぎ部３の総数Ｊｔｏｔが第２の群において数えられるようにする。両方の群の数値Ｊｕ，Ｊｔｏｔから連続的に撚り継ぎ比Ｑ＝Ｊｕ／Ｊｔｏｔを形成すると、それから、特定の撚り継ぎ装置２９（図７参照）がよく動作するか又は悪く動作するかを推論することができる。例え
0005224200.tif 000002
作し、そうでない場合（Ｑ＞Ｑｇ）悪く動作する。後者の場合警告信号を発生して、撚り継ぎ装置２９又はそれが組込まれている巻取個所を検査のため停止させることができる。
【００６１】  図１０は、許されない撚り継ぎ部１７ｂの数Ｊｕと検出されるすべての撚り継ぎ部３の総数Ｊｔｏｔの比Ｊｕ／Ｊｔｏｔの値が軸８１に沿って記入されている線図を示す。更に時間軸８０が設けられている。その上撚り継ぎ比Ｑ＝Ｊｕ／Ｊｔｏｔの時間的推移を示す曲線８２が記入されている。更に撚り継ぎ比Ｑの時間的に一定な閾値Ｑｇが、水平な直線８３と
0005224200.tif 000003
これがよく動作する撚り継ぎ装置２９を示唆する。これに反し線図の右の範囲では曲線８２が閾値Ｑｇを上回るので（Ｑ＞Ｑｇ）、上回る時点に警告信号が出力される。
【００６２】  図１１の線図には、複数例えば２０個の撚り継ぎ装置２９に対して特定の時点における撚り継ぎ比Ｑ＝Ｊｕ／Ｊｔｏｔが棒８４の形で示されている。撚り継ぎ比Ｑの閾値Ｑｇが再び水平な直線８３として記入されている。このような図式表示は、例えば自動巻取り機にある多数の撚り継ぎ装置２９の動作についての速やかで簡単な見通しを可能にする。こうして図１１の例において、位置９及び１４にある撚り継ぎ装置２９が閾値Ｑｇを上回る高すぎる撚り継ぎ比Ｑを持ち、従って新設定、修理又は交換を必要とすることが、直ちにわかる。閾値Ｑｇを上回ると、ここでも警告信号を出力することができる。棒８４の高さは連続的に又は周期的にアプデートできるので、線図は現在の見通しを与える。
【００６３】  本発明が上述した実施例に限定されないことは自明である。本発明を知れば、当業者は本発明の対象にも属する別の変形例を推論することができる。特にこの明細書に開示された局面及び実施形態を互いに組合わせることができる。
【符号の説明】
【００６４】１            糸
２            欠陥個所
３            撚り継ぎ部
４            欠陥長又は撚り継ぎ長
５            単位長さ当たりのパラメータとしての直径又は質量
６            横軸、縦軸線
７            縦軸、直径軸線又は質量軸線
８            撚り継ぎ点
９、１０      撚り継ぎ点の座標を示すための直線
１１，１２    分類限界
１３          点群
１４          欠陥個所２の欠陥除去限界又は欠陥除去曲線
１５ａ        許される欠陥個所事象
１５ｂ        許されない欠陥個所事象
１６          撚り継ぎ部３の欠陥除去限界又は欠陥除去曲線
１７ａ        許される撚り継ぎ部事象
１７ｂ        許されない撚り継ぎ部事象
２３          管糸
２４          ボビン
２５          糸１の移動方向
２６          糸パラメータの測定装置
２７          糸速度の測定装置
２８          切断装置
２９          撚り継ぎ装置
３０          評価装置
３１〜３３，３６，４０，４２〜４４    導線
３４          電子測定ヘッド
３５          制御装置
３７          入力装置
３８          出力装置
３９          機械制御装置
４１          動作個所計算機又は製造個所計算機
６０          時間軸
６１          速度軸
６２          最終速度
６３          速度の時間的推移
６５          撚り継ぎ部３から形成される期間
６６          撚り継ぎ過程の始め
６７          撚り継ぎ過程の終わり
７１          通常モード
７２          撚り継ぎモード
８０          時間軸
８１          撚り継ぎ比
８２          撚り継ぎ比の時間的推移
８３          撚り継ぎ比の閾値
８４          撚り継ぎ比を示す棒
【図１（ａ）】
0005224200.tif 000004
【図１（ｂ）】
0005224200.tif 000005
【図２】
0005224200.tif 000006
【図３（ａ）】
0005224200.tif 000007
【図３（ｂ）】
0005224200.tif 000008
【図３（ｃ）】
0005224200.tif 000009
【図４（ａ）】
0005224200.tif 000010
【図４（ｂ）】
0005224200.tif 000011
【図５】
0005224200.tif 000012
【図６】
0005224200.tif 000013
【図７】
0005224200.tif 000014
【図８】
0005224200.tif 000015
【図９】
0005224200.tif 000016
【図１０】
0005224200.tif 000017
【図１１】
0005224200.tif 000018